(57)【要約】【課題】積雪等による外力や熱伸縮を吸収して部材の割れや外れ等の発生を防止することができる軒樋と竪樋の接続構造を提供する。【解決手段】軒樋１の落し口２が軒樋側エルボ３を介して呼び樋４の一端部に接続され、該呼び樋４の他端部が竪樋側エルボ５を介して竪樋６と接続された軒樋と竪樋の接続構造であって、前記軒樋側エルボ３が、第１曲り部の一端部に落し口接続部が設けられた第１部材と、第２曲り部の他端部に呼び樋接続部が設けられた第２部材とが、第１曲り部の他端部と第２曲り部の一端部同士が相対的に回動自在に接続されたものからなり、前記竪樋側エルボ５が、その呼び樋接続部の内周面に周方向に沿う凹溝が設けられ、該凹溝内にパッキングが装着されたものからなり、該呼び樋接続部に呼び樋の他端部が摺動自在に接続されている。【選択図】  図１
2004346665.tif 000002
【特許請求の範囲】
【請求項１】
軒樋の落し口が軒樋側エルボを介して呼び樋の一端部に接続され、該呼び樋の他端部が竪樋側エルボを介して竪樋と接続された軒樋と竪樋の接続構造であって、前記軒樋側エルボが、第１曲り部の一端部に落し口接続部が設けられた第１部材と、第２曲り部の他端部に呼び樋接続部が設けられた第２部材とが、第１曲り部の他端部と第２曲り部の一端部同士が相対的に回動自在に接続されたものからなり、前記竪樋側エルボが、その呼び樋接続部の内周面に周方向に沿う凹溝が設けられ、該凹溝内にパッキングが装着されたものからなり、該呼び樋接続部に呼び樋の他端部が摺動自在に接続されていることを特徴とする軒樋と竪樋の接続構造。
【発明の詳細な説明】
【０００１】
【発明の属する技術分野】
本発明は、軒樋と竪樋の接続構造に関するものである。
【０００２】
【従来の技術】
従来、軒樋からの雨水排水方法としては、軒樋にジョウゴ等の落し口を設け、この落し口を、エルボや呼び樋等の接続部材を介して竪樋に接続する方法等が採用されている。
その接続部材としては、例えば、図５に示すように、一端部に受口ａを設け、他端部に差口ｂを設けた曲管ｃと、一端部に曲管ｃの受口ａに内嵌合し、他端部に曲管ｃの差口ｂに外嵌合する直管ｄとからなり、曲管ｃと直管ｄの差口外径と受口内径とは略同一に設定すると共に、差口の段差は受口ａの肉厚相当に設定した竪樋接続継手ｅが提案されている（特許文献１参照）。
【０００３】
しかしながら、この竪樋接続継手ｅを用いて、軒樋と竪樋を接続した接続構造において、軒樋に積雪等の外力が作用したとき、軒樋が軒の外側にたわみ易く、３のたわみが接合部分に無理な力として作用し、部材の割れや外れ等の原因となり易いという問題点がある。
【０００４】
【特許文献１】
実開平５−８１４２５号公報（実用新案登録請求の範囲等）
【０００５】
【発明が解決しようとする課題】
本発明は、上記の如き従来の問題点を解消し、積雪等による外力や熱伸縮を吸収して部材の割れや外れ等の発生を防止することができる軒樋と竪樋の接続構造を提供することを目的としてなされたものである。
【０００６】
【課題を解決するための手段】
本発明は、軒樋の落し口が軒樋側エルボを介して呼び樋の一端部に接続され、該呼び樋の他端部が竪樋側エルボを介して竪樋と接続された軒樋と竪樋の接続構造であって、前記軒樋側エルボが、第１曲り部の一端部に落し口接続部が設けられた第１部材と、第２曲り部の他端部に呼び樋接続部が設けられた第２部材とが、第１曲り部の他端部と第２曲り部の一端部同士が相対的に回動自在に接続されたものからなり、前記竪樋側エルボが、その呼び樋接続部の内周面に周方向に沿う凹溝が設けられ、該凹溝内にパッキングが装着されたものからなり、該呼び樋接続部に呼び樋の他端部が摺動自在に接続されている軒樋と竪樋の接続構造である。
【０００７】
【作用】
本発明の軒樋と竪樋の接続構造は、前記軒樋側エルボが、第１曲り部の一端部に落し口接続部が設けられた第１部材と、第２曲り部の他端部に呼び樋接続部が設けられた第２部材とが、第１曲り部の他端部と第２曲り部の一端部同士が相対的に回動自在に接続されたものからなり、前記竪樋側エルボが、その呼び樋接続部の内周面に周方向に沿う凹溝が設けられ、該凹溝内にパッキングが装着されたものからなり、該呼び樋接続部に呼び樋の他端部が摺動自在に接続されていることにより、積雪等の外力や熱伸縮により、軒樋に軒の外側にたわむような力が作用したときに、軒樋側エルボの第１部材と第２部材が、その第１曲り部の他端部と第２曲り部の一端部同士が相対的に重なり合うように回動するともに、呼び樋の他端部が呼び樋側エルボの呼び樋接続用受口内を摺動することにより外力を吸収するので、上記たわみが接合部分に無理な力として作用することがなく、部材の割れや外れ等の原因となることがない。
【０００８】
【発明の実施の形態】
以下、本発明の実施の形態を図面を参照して説明する。
図１は本発明の軒樋と竪樋の接続構造の一例を示す正面図である。
図１に示すように、この軒樋と竪樋の接続構造は、軒樋１と、落し口２と、軒樋側エルボ３と、呼び樋４と、竪樋側エルボ５と、竪樋６とからなる。
【０００９】
軒樋側エルボ３は、図２に示すように、第１曲り部３１１の一端部に落し口接続部３１２が設けられた第１部材３１と、第２曲り部３２１の他端部に呼び樋接続部３２２が設けられた第２部材３２とが、第１曲り部３１１の他端部と第２曲り部３２１の一端部同士が相対的に回動自在に接続されたものからなる。
軒樋１の落し口２が軒樋側エルボ３の落し口接続部３１２に接着剤を用いて接合され、軒樋側エルボ３の呼び樋接続部３２２に呼び樋４の一端部が接着剤を用いて接続される如くして、軒樋１の落し口２が軒樋側エルボ３を介して呼び樋４の一端部に接続されている。
【００１０】
竪樋側エルボ５は、図３及び図４に示すように、エルボ本体５１の一端部に呼び樋接続用受口５２が設けられ、他端部に竪樋接続用受口５３が設けられている。呼び樋接続用受口５２には、開口部に隣接する内周面に周方向に沿う凹溝５２１が設けられ、その凹溝５２１内にパッキング５２２が装着されている。
竪樋側エルボ５の呼び樋接続用受口５２に呼び樋４の他端部が摺動自在に接続され、竪樋側エルボ５の竪樋接続用受口５３に竪樋６の上端部が接着剤を用いて接続される如くして、呼び樋４の他端部が竪樋側エルボ５を介して竪樋６と接続されている。
以上のようにして、軒樋１の落し口２が軒樋側エルボ３を介して呼び樋４の一端部に接続され、その呼び樋４の他端部が竪樋側エルボ５を介して竪樋６と接続された軒樋と竪樋の接続構造が形成されている。
【００１１】
この軒樋と竪樋の接続構造において、積雪等の外力や熱伸縮により、軒樋１に軒の外側にたわむような力が作用したときに、軒樋側エルボ３の第１部材３１と第２部材３２が、その第１曲り部３１１の他端部と第２曲り部３２１の一端部同士が相対的に重なり合うように回動するともに、呼び樋４の他端部が呼び樋側エルボ５の呼び樋接続用受口５２内を摺動することにより外力を吸収するので、上記たわみが接合部分に無理な力として作用することがなく、部材の割れや外れ等の原因となることがない。
【００１２】
【発明の効果】
本発明の軒樋と竪樋の接続構造は、上記の如き構成とされているので、積雪等による外力や熱伸縮を吸収して部材の割れや外れの発生を防止することができる。
【図面の簡単な説明】
【図１】本発明の軒樋と竪樋の接続構造の一例を説明する正面図である。
【図２】図１に示す竪樋の接続構造に使用される軒樋側エルボの説明図であり、（ａ）はその正面図、（ｂ）はその側面図である。
【図３】図１に示す竪樋の接続構造におけるＡ部分を拡大して示す斜視図である。
【図４】図３におけるＩ−Ｉ線に沿う断面図である。
【図５】従来の竪樋接続継手の一例を示す断面図である。
【符号の説明】
１  軒樋
２  落し口
３  軒樋側エルボ
４  呼び樋
５  竪樋側エルボ
６  竪樋
【図１】
2004346665.tif 000003
【図２】
2004346665.tif 000004
【図３】
2004346665.tif 000005
【図４】
2004346665.tif 000006
【図５】
2004346665.tif 000007